(57)【要約】    【課題】 開封後は要冷蔵となっている調味料が多くあり、冷蔵庫が調味料に占領されています。そのため、調理中に幾度も冷蔵庫の開閉が行われていますので、庫内の温度も上昇します。調理中に調理器から離れる事無く調味料の出し入れが行へる小型の調味料専用冷蔵庫を提供する。    【解決手段】  調理台の上やシステムキッチンに組み込まれる調味料専用の冷蔵庫に、冷蔵庫内を一目で見渡す事の出来るドアを有し、ドアの開閉時に冷気の流失を出来る限り少なくする構造の冷蔵庫で、小さなスペースを最大限に利用するための、調味料専用冷蔵庫である。    【選択図】  図２
2010151373.tif 000002
【特許請求の範囲】
【請求項１】
調理台の上や調理器周辺に設置する、小型の調味料専用冷蔵庫。
【発明の詳細な説明】
【技術分野】
【０００１】
本発明は、調理中に手の届く場所に調味料を保存するための、調味料専用冷蔵庫である。          
【背景技術】
【０００２】
従来の小型冷蔵庫は、飲料水や少人数のための、小さい冷蔵庫である。
【非特許文献１】Panasonic２００８−秋冷蔵庫総合カタログ  Ｐ２１
【非特許文献２】HITACHI２００８−冬冷蔵庫総合カタログ  Ｐ２６
【非特許文献３】TOSHIBA２００８−夏冷蔵庫総合カタログ  Ｐ２７
【発明の開示】
【発明が解決しようとする課題】
【０００３】
従来の冷蔵庫には、調味料を保存するスペースが少なく、食材を入れる場所の多くを調味料に占領されています。
【０００４】
また、開封後は要冷蔵の調味料が多いため、調理中に冷蔵庫のドアの開閉回数が多くなり冷冷蔵庫内の温度が上がる。
【０００５】
本発明は、これらの問題を解決する為に、調味料専用の冷蔵庫を提案するものである。
【課題を解決するための手段】
【０００６】
これらの課題を解決するために、小型の調味料専用冷蔵庫を、調理中に手の届く場所に設置できるようにする。
【０００７】
ドア開閉時の冷気放出に対処できるドアの構造とする。（図１、図３、図５参照）
【発明の効果】
【０００８】
調理中に火から離れることなく、調味料の出し入れができる。
【０００９】
食材用の冷蔵庫と分けることで、冷蔵庫内を一目で見渡すことができ、調味料の保管や賞味期限などの管理も行いやすい。
【発明を実施するための最良の形態】
【００１０】
以下、本発明の実施の形態について説明する。
【００１１】
調味料の容器の大きさに合わせ、入れる場所を分ける。
【００１２】
大きい容器には、上から前に引き出す庫内一体型ドアを用意する。（図１参照）
【００１３】
小さい容器には、左右のいずれかを支点に扇形に開く庫内一体型ドアか、引き出し式の庫内一体型ドアを用意する。（図３、図５参照）
【実施例１】
【００１４】
図１、図３、図５を組み合わせる事により、より多くの調味料を保存できる。
【図面の簡単な説明】
【００１５】
【図１】上から前に引き出す庫内一体型ドアの斜視図
【図２】同ドア内の側面図
【図３】扇形に開く庫内一体型ドアの斜視図
【図４】同ドア内上からの図
【図５】引き出し式庫内一体型ドアの斜視図
【図６】組み合わせの一例図
【図１】
2010151373.tif 000003
【図２】
2010151373.tif 000004
【図３】
2010151373.tif 000005
【図４】
2010151373.tif 000006
【図５】
2010151373.tif 000007
【図６】
2010151373.tif 000008
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
ドア本体の内側収納スペース全体に、さいの目状の仕切りを設け（２）、ドアを開ければ収納物が一目できる庫内一体型ドアを有し、調理台の上や調理中に手の届く範囲に設置することの出来る、小型の調味料専用冷蔵庫。
【手続補正２】
【補正対象書類名】明細書
【補正対象項目名】全文
【補正方法】変更
【補正の内容】
【発明の詳細な説明】
【技術分野】
【０００１】
本発明は、調理中に手の届く場所に調味料を保存するための調味料専用冷蔵庫である。
【背景技術】
【０００２】
調理台に設置出来るような大きさの冷蔵庫は小型冷蔵庫というもので、飲料水や少人数のための、小さい冷蔵庫です。
【非特許文献１】Panasonic２００８−秋冷蔵庫総合カタログ  P ２１
【非特許文献２】HITACHI２００８−冬冷蔵庫総合カタログ  P ２６
【非特許文献３】TOSHIBA２００８−夏冷蔵庫総合カタログ  P ２７
【発明の開示】
【発明が解決しようとする課題】
【０００３】
従来の冷蔵庫には調味料を保存するスペースが少なく、食材を入れる場所の多くを調味料に占領されています。
【０００４】
また、開封後は要冷蔵の調味料が多いため調理中に冷蔵庫のドアの開閉回数が多くなり、開閉のたびに冷気が放出され冷蔵庫内の温度が上がります。
【０００５】
寝室などに設置される小型の冷蔵庫は奥のものが取りづらく又、持ち運ぶ事を前提として作られている簡易型の小型冷蔵庫では、重量のある調味料を入れた状態でのドアの開閉には、耐久性と安定性にかけています。本発明は、これらの問題を解決する為に、調味料専用の冷蔵庫を提案するものです。
【課題を解決するための手段】
【０００６】
これらの課題を解決するために、小型の調味料専用冷蔵庫を、調理中に手の届く場所に設置できるようにします。
【０００７】
ドア開閉時の冷気放出が出来る限り少ないドアの構造とする。（図１、図２、図３参照）
【発明の効果】
【０００８】
調理中に火から離れる事無く、調味料の出し入れが出来、冷気の流失の少ないドアにすることで、庫内の温度上昇が少なくなります。
【０００９】
食材用の冷蔵庫と分けることで、冷蔵庫内を一目で見渡す事が出来、調味料の保管や賞味期限などの管理も行いやすい。
【発明を実施するための最良の形態】
【００１０】
以下、本発明の実施の形態について説明します。
【００１１】
調味料の容器の大きさに合わせ入れる場所を分け、ドア開閉時の衝撃に耐えられるように、さいの目状の仕切り版によってひとつずつを仕切れるようにします。
【００１２】
大きい容器には、上から前に引き出す庫内一体型ドアを用意する。(図1参照)
【００１３】
小さい容器には、左右いずれかを支点に扇形に開く庫内一体型ドアあるいは、引き出し式の庫内一体型ドアを用意する。(図3・図5参照)
【実施例１】
【００１４】
図1、図3、図5を組み合わせる事により、より多くの調味料や飲料水などを保存でき、設置場所としては、現在システムキッチンに内蔵されている食洗器のように設置される事が最も望ましいが、スペースがあれば調理台に設置する事も可能であり、モーター部などの機械部分をシステムキッチンの奥に内蔵し、調味料などの保冷室をシステムキッチンの上に備える事も可能である。
【図面の簡単な説明】
【００１５】
【図１】上から前に引き出す庫内一体型ドアの斜視図
【図２】図1、図5を組み合わせた内側側面図
【図３】扇形に開く庫内一体型ドアの斜視図
【図４】同、上から見た図
【図５】引き出し式庫内一体型ドアの斜視図
【図６】図1、図3を組み合わせた斜視図
【符号の説明】
【００１６】
１  支点
２  仕切り板
３  調理台の天板
【手続補正３】
【補正対象書類名】図面
【補正対象項目名】全図
【補正方法】変更
【補正の内容】
【図１】
2010151373.tif 000009
【図２】
2010151373.tif 000010
【図３】
2010151373.tif 000011
【図４】
2010151373.tif 000012
【図５】
2010151373.tif 000013
【図６】
2010151373.tif 000014